(57)【要約】      （修正有）【課題】本考案は、レターセット内の便箋や葉書、封筒の文字記入欄の罫線幅を広くとることで近視や老眼の使用者でも使いやすくし、また通常よりも少ない枚数で構成することにより臨時の際も便利に手紙を出しやすくする。【解決手段】本考案は、セット構成品目の文字記入部分の罫線部分の間隔を従来より広くとることにより通常よりも大きめの文字で手紙を書くことを可能とし、且つセット内容を充来のものより少ない枚数で構成することにより使用者が臨時に手紙を書く際便利に使用できるものである。【選択図】図１
0003127087.tif 000002
【実用新案登録請求の範囲】
【請求項１】
セット内の便箋や葉書、封筒の宛先記入欄の罫線の間隔を広くとることで近眼や老眼に配慮し、また従来のものよりも少ない枚数の内容で構成された簡易タイプを設けることで急用の際にも便利に手紙が出せる、使用者の実情に配慮したレターセット
【考案の詳細な説明】
【技術分野】
【０００１】本考案は、便箋、葉書、封筒その他で構成される定形郵便用レターセットに関するものである。
【背景技術】
【０００２】充来のレターセットは罫線の間隔が７〜１０ミリメートル程度のものが多く近視や老眼の使用者の実情は特に配慮していなかった。また、セット内容も１セット便箋１２枚、封筒６枚入と手紙一通の使用ではほぼ使いきれないものだった。
【考案の開示】
【考案が解決しようとする課題】
【０００３】充来のレターセットの文字記入部は罫線の間隔が７〜１０ミリメートル程度のものがほとんどであり、実際にこれを用いて手紙を書いた場合文字が小さく近視や老眼の使用者には大変読みづらいものであった。又セット内容も手紙一通、二通程度の使用では使いきれない量のため外出先その他における臨時使用の際不便である。従って、文字記入部の罫線の間隔を従来のものより広くとることにより実際にこれを用いて手紙を書いた際大きめの文字で近視や老眼の使用者でも手紙を読みやすくすることが可能になり、又セット内容も充来のものより少ない枚数で構成することにより外出先その他における臨時使用の際、使用者が手軽に利用することが可能になり前述の欠点を解決しようとするものである。
【課題を解決するための手段】
【０００４】本考案は、文字記入部の罫線の間隔を充来より広くとることにより通常よりも大きめの文字で手紙を書くことを可能とし、且つセット内容を充来のものより少ない枚数で構成することにより問題点を解決している。
【考案の効果】
【０００５】上述のように、本考案の近視、老眼使用者向けレターセットは通常よりも大きな文字で手紙を書けるので実際にこれを用いて手紙を書いた際近視や老眼の使用者でも読みやすくなり、しかもセット内容が少なくその分価格も充来のものよりも単価が低くなるため外出先その他における臨時使用の際も使用者が手軽に購入することが可能である。
【考案を実施するための最良の形態】
【０００６】充来のものより文字記入部分の罫線幅の広い便箋、葉書および封筒他を、通常１セット便箋１２枚、封筒６枚である充来のレターセットよりも少なく一、二通のみの臨時使用に適した枚数をセットにし販売する。その際販売するにあたり使用者の利便性を考慮し文具店のみでなくコンビニエンスストアや駅ビル内その他での取扱いがより好ましい。
【実施例】
【０００７】以下、添付図面に従って一実施例を説明する。
１は当該製品を構成する便箋であり、寸法・形状およびデザイン他は充来の便箋より１回り大きいものか充来の便箋と同じ大きさのものとしその範囲内で適宜変更可能である。【０００８】２は当該製品を構成する封筒であり、外計寸法・形状および重量は充来の封筒を基準とし定形郵便物として８０円切手で郵送可能なものとする。尚、デザイン他は適宜変更可能である。【０００９】３は当該製品を構成する葉書であり、寸法・形状および重量は充来の官製葉書を基準とし定形郵便物として５０円切手で郵送可能なものとする。尚、デザイン他は適宜変更可能である。【００１０】４は当該製品を構成する緘封用シールであり、寸法・形状、枚数およびデザインに関しては適宜変更可能である。【００１１】５は当該製品を構成する宛名用シールであり、寸法・形状、枚数およびデザインに関しては適宜変更可能である。【００１２】１、２、３、５の文字記入部分に関しては、罫線の間隔をミリメートル以上とし、通常のレターセット構成品目の文字記入部分よりも大きな文字での記入が可能なものとする。【００１３】尚、各構成品目の枚数や３、４、５をセット内容に含むか否か他は適宜変更可能である。
【図面の簡単な説明】
【００１４】
【図１】本考案の近視・老眼使用者向け臨時使用用レターセットの一実施例を示す品目構成図である。
【図１】
0003127087.tif 000003
【手続補正書】
【提出日】平成18年5月15日(2006.5.15)
【手続補正１】
【補正対象書類名】実用新案登録請求の範囲
【補正対象項目名】全文
【補正方法】変更
【補正の内容】
【実用新案登録請求の範囲】
【請求項１】
便箋、封筒、はがき、宛名シール、厳封用シールを基本構成品目とし、セット内の便箋やはがき、封筒の文字記入部分の罫線の間隔を広くとることで近視や老眼に配慮し、又従来のものよりも少ない枚数の各品目で構成することで急用の際にも便利に手紙が出せる、使用者の実情に配慮したレターセット
【手続補正２】
【補正対象書類名】明細書
【補正対象項目名】０００２
【補正方法】変更
【補正の内容】
【０００２】  従来のレターセットは罫線の間隔が７〜１０ミリメートル程度のものが多く、近視や老眼の使用者の実情は特に考慮していなかった。又セット内容も１セット便箋１２枚、封筒６枚と通常の手紙一通の使用ではほぼ使いきれないものだった。
【手続補正３】
【補正対象書類名】明細書
【補正対象項目名】０００３
【補正方法】変更
【補正の内容】
【０００３】  従来のレターセットの文字記入部分は罫線の間隔が７〜１０ミリメートルのものがほとんどであり、実際にこれを用いて手紙を書いた場合文字が小さく近視や老眼の使用者には大変読みづらいものであった。又セット内容も手紙一通、二通の使用では使い切れない量のため外出先その他における臨時使用の際不便である。従って、文字記入部分の罫線の間隔を従来のものより広くとることにより、実際にこれを用いて手紙を書いた際大き目の文字で書くことが可能となり、その結果近視や老眼の使用者でも書かれた手紙を読みやすくなる。又セット内容も従来のものよりそれぞれ枚数を少なくした品目で構成されるため、外出先その他における臨時使用の際使用者が手軽に購入・利用することが可能となり前述の欠点を解消しようとするものである。
【手続補正４】
【補正対象書類名】明細書
【補正対象項目名】０００４
【補正方法】変更
【補正の内容】
【０００４】  本考案は、文字記入部分の罫線の間隔を広くとることにより通常よりも大きめの文字での手紙の作成を可能とし、且つセット内容を従来のものより少ない枚数で構成することにより問題点を解決している。
【手続補正５】
【補正対象書類名】明細書
【補正対象項目名】０００５
【補正方法】変更
【補正の内容】
【０００５】  上述のように、本考案の近視・老眼使用者用レターセットは通常よりも大きな文字での手紙の作成が可能なため実際にこれを用いて手紙を書いた際近視や老眼の使用者でも読みやすくなり、しかもセット内容が少なくその分価格も従来のものより低単価になるため、外出先その他の臨時使用の際も使用者が手軽に購入・利用することが可能である。
【手続補正６】
【補正対象書類名】明細書
【補正対象項目名】０００６
【補正方法】変更
【補正の内容】
【０００６】  従来のものより文字記入部分の罫線幅の広い（罫線幅１３ミリメートル前後の）便箋、はがき、封筒他レターセット構成品目を、通常１セット便箋１２枚、封筒６枚である従来のレターセットよりも少なく一、二通のみの手紙作成に適した枚数をセットに販売する。その際販売するにあたり使用者の利便性を考慮し、文具店や百貨店のみでなくコンビニエンスストアや売店、駅構内及び駅ビル内、一部の飲食店内（喫茶店等）その他での取扱いがより好ましい。
【手続補正７】
【補正対象書類名】明細書
【補正対象項目名】０００７
【補正方法】変更
【補正の内容】
【０００７】  以下、添付図面に従って一実施例を説明する。１は当該製品を構成する便箋であり、寸法・形状およびデザイン、材質他は適宜設定・変更可能である。
【手続補正８】
【補正対象書類名】明細書
【補正対象項目名】０００８
【補正方法】変更
【補正の内容】
【０００８】  ２は当該製品を構成する封筒であり、外形寸法・形状および重量は基本的に従来の封筒を基準とし定形郵便物として８０円切手で郵送可能なものとする。ただし、必要に応じて適宜変更可能なものとする。尚、デザイン、材質他は適宜設定・変更可能である。
【手続補正９】
【補正対象書類名】明細書
【補正対象項目名】０００９
【補正方法】変更
【補正の内容】
【０００９】  ３は当該製品を構成するはがきであり、寸法・形状及び重量は基本的に従来の官製はがきを基準とし定形郵便物として５０円切手で郵送可能なものとする。ただし必要に応じて適宜変更可能なものとする。尚、デザイン、材質他は適宜設定・変更可能である。
【手続補正１０】
【補正対象書類名】明細書
【補正対象項目名】００１０
【補正方法】変更
【補正の内容】
【００１０】  ４は当該製品を構成する厳封用シールであり、寸法・形状、デザイン、材質、枚数他は適宜設定・変更可能である。
【手続補正１１】
【補正対象書類名】明細書
【補正対象項目名】００１１
【補正方法】変更
【補正の内容】
【００１１】  ５は当該製品を構成する宛名用シールであり、寸法・形状、デザイン、材質、枚数他は適宜設定・変更可能である。
【手続補正１２】
【補正対象書類名】明細書
【補正対象項目名】００１２
【補正方法】変更
【補正の内容】
【００１２】  各構成品目の文字記入部分に関しては、罫線がある場合は基本的に従来のレターセット構成品目よりも罫線幅を大きくし、通常の類似商品の文字記入部分よりも大きな文字での記入が可能なものとする。尚その際の罫線幅は基本的に１３ミリメートル前後を目安とするが場合により適宜変更可能である。
【手続補正１３】
【補正対象書類名】明細書
【補正対象項目名】００１３
【補正方法】変更
【補正の内容】
【００１３】  尚、当該製品１セットあたりのセット内容や各構成品目の枚数に関しては、基本的に便箋２〜４枚、封筒１〜３枚を目安とする（その他に関しては適宜設定可能）が場合により適宜変更可能である。
【手続補正書】
【提出日】平成18年8月10日(2006.8.10)
【手続補正１】
【補正対象書類名】実用新案登録請求の範囲
【補正対象項目名】請求項１
【補正方法】変更
【補正の内容】
【請求項１】
便箋・封筒・葉書・宛名用シール・緘封用シールを基本構成品目とし、セット内の便箋や葉書・封筒の文字記入部分の罫線幅を広くとることで近眼や老眼の使用者に配慮するとともに、手紙複数通の作成向けの一般的なレターセットよりも少ない、手紙一、二通の作成に適した品目構成およびコンビニエンスストア・駅売店・行楽地内の売店等での販売により使用者の突発的な手紙作成の需要・欲求にも即応した簡便型レターセット
【手続補正３】
【補正対象書類名】明細書
【補正対象項目名】０００３
【補正方法】変更
【補正の内容】
【０００３】  従来のレターセットの文字記入部分は罫線幅が７〜１０ミリメートル程度のものがほとんどであり、実際にこれを用いて手紙を書いた場合文字が小さく近視や老眼の使用者には大変読みづらいものであった。又セット内容も手紙一通・二通の使用では使いきれない量のため外出先その他における臨時使用の際不便である。従って、文字記入部分の罫線幅を従来より広くとることにより実際にこれを用いて手紙を作成した際大きめの文字での記入が可能となり、結果近視や老眼の使用者でも書かれた手紙を読みやすくなる。又セット内容を従来のものより少なく手紙一、二通の作成に適した品目構成とし、駅売店・コンビニエンスストアをはじめ臨時の際すぐに立ち寄れる店舗でも販売することで使用者が外出先その他における突発的な手紙作成の需要・欲求の際も手軽に購入・使用が可能となり前述の欠点を解消しようとするものである。
【手続補正４】
【補正対象書類名】明細書
【補正対象項目名】０００４
【補正方法】変更
【補正の内容】
【０００４】  本考案は文字記入部分の罫線幅を従来より広くとることにより通常よりも大きな文字での手紙の作成を可能とし、且つセット内容のコンパクトな構成、および使用者が臨時の際でも気軽に立ち寄りやすい店舗での販売により問題点を解決している。
【手続補正５】
【補正対象書類名】明細書
【補正対象項目名】０００５
【補正方法】変更
【補正の内容】
【０００５】  上述のように、本考案の売店・飲食店内販売用近視・老眼使用者向け臨時使用用レターセットは通常よりも大きな文字での手紙の作成が可能なため実際に使用した際近視や老眼の使用者でも読みやすくなる。また太字の万年筆や筆ペン、サインペンでの記入も可能となる。さらにコンビニエンスストア・駅売店・行楽地内の売店・喫茶店をはじめとする一部の飲食店等臨時の際すぐに立ち寄れる店舗で販売され、且つコンパクトな品目構成の分価格も低単価になるため外出先等での臨時使用の際も使用者が手軽に購入可能となり問題点を解決している。
【手続補正６】
【補正対象書類名】明細書
【補正対象項目名】０００７
【補正方法】変更
【補正の内容】
【０００７】  以下、添付図面に従って一実施例を説明する。１は当該製品を構成する便箋であり、寸法・形状・材質・デザインに関しては適宜設定・変更可能である。一例として、一部または全部の罫線幅を１３ミリメートル以上とし、太字の万年筆や筆ペン、サインペン等での記入に適したものが好ましい。ただし、場合により罫線なしのものも製造可能である。
【手続補正７】
【補正対象書類名】明細書
【補正対象項目名】００１３
【補正方法】変更
【補正の内容】
【００１３】  尚、当該製品の品目構成に関しては、基本的に手紙一、二通の作成に適した枚数での構成とする。ただし、必要に応じて適宜変更可能とする。
【手続補正８】
【補正対象書類名】明細書
【補正対象項目名】００１４
【補正方法】変更
【補正の内容】
【００１４】
【図１】本考案の売店・飲食店内販売用近視・老眼使用者向け臨時使用用レターセットの一実施例を示す品目構成図である。